(57)【要約】【課題】オプトエレクトロニクスシステムをよりコンパクトな手段で、より正確に評価するための手段を提供する。【解決手段】本発明の１実施形態は高速チャンネルセレクタスイッチ(300)を具備する。高速チャンネルセレクタスイッチ(300)は、検査対象である複数の高速データライン(310)に電気的に結合するよう動作可能な複数の接点(410)を有する第１のユニット(400)を備える。第１のユニット(400)は、また、信号線(320)に電気的に結合するよう動作可能な追加の接点(415)を有する。高速チャンネルセレクタスイッチ(300)は、さらに、第１のユニット(400)の追加の接点(415)に、第１のユニット(400)の複数の接点(410)のうちの１つを選択的に電気的に結合するよう動作可能な第２のユニット(500)を備える。第２のユニット(500)はまた、第１のユニット(400)の残りの接点(410)をそれぞれの終端インピーダンス(530)に電気的に結合する。【選択図】図３
2005044800.tif 000002
【特許請求の範囲】
【請求項１】
検査対象デバイスの複数の高速データライン（３１０）に電気的に結合するように動作可能な複数の接点（４１０）と、信号線（３２０）に電気的に結合するように動作可能な信号接点（４１５）とを備える第１のユニット（４００）と、
前記複数の高速データライン（３１０）のうち１つが前記信号線（３２０）に結合し、前記複数の高速データライン（３１０）のうち残りが複数の終端インピーダンス（５３０）のそれぞれに結合するように、前記複数の接点（４１０）うち１つを前記信号接点（４１５）に選択的に電気的に結合し、さらに、前記複数の接点（４１０）のうち残りの接点を、前記複数の終端インピーダンス（５３０）のそれぞれに電気的に結合するように動作可能な第２のユニット（５００）
とを備える、高速チャネルセレクタスイッチ（３００）。
【請求項２】
前記第２のユニット（５００）は前記第１のユニット（４００）に対して回転することを特徴とする請求項１に記載の高速チャネルセレクタスイッチ（３００）。
【請求項３】
前記複数の接点（４１０）は円をなすように構成されることを特徴とする請求項１に記載の高速チャネルセレクタスイッチ（３００）。
【請求項４】
前記信号接点（４１５）は前記円の中央に位置することを特徴とする請求項３に記載の高速チャネルセレクタスイッチ（３００）。
【請求項５】
複数の入力チャネルのうち１つを選択可能であることを特徴とする請求項１に記載の高速チャネルセレクタスイッチ（３００）。
【請求項６】
複数の出力チャネルのうち１つを選択可能であることを特徴とする請求項１に記載の高速チャネルセレクタスイッチ（３００）。
【請求項７】
前記第１のユニット（４００）は評価ボード（７００）に固定されて動作可能であることを特徴とする請求項１に記載の高速チャネルセレクタスイッチ（３００）。
【請求項８】
前記複数の終端インピーダンスはそれぞれ前記第２のユニット内に配置されることを特徴とする請求項１に記載の高速チャネルセレクタスイッチ（３００）。
【請求項９】
評価ボード（７００）であって、
検査対象デバイスの高速チャネルに結合するように動作可能な複数の高速データライン（７１０）と、
高速コネクタ（７２０）と、
少なくとも１つの高速チャネルセレクタスイッチ（３００）
とを備え、
前記少なくとも１つの高速チャネルセレクタスイッチ（３００）は、
前記複数の高速データライン（３２０）と電気的に結合する複数の接点（４１０）と、前記高速コネクタ（７２０）と電気的に結合する信号接点（４１５）とを備える第１のユニット（４００）と、
複数の終端インピーダンス（５３０）を備える第２のユニット（５００）であって、高速チャネルを選択するために、前記複数の接点（４１０）の接点を前記複数の終端インピーダンス（５３０）のそれぞれの終端インピーダンス（５３０）に選択的に電気的に結合するように動作可能であり、さらに、前記複数の接点（４１０）のうち１つの接点を前記信号接点（７２０）に選択的に電気的に結合するように動作可能な第２のユニット
とを備えることからなる、評価ボード（７００）。
【請求項１０】
前記第２のユニットはさらに直通線を備えることを特徴とする請求項９に記載の評価ボード（７００）。
【請求項１１】
さらに、前記高速チャネルセレクタスイッチを複数備え、前記評価ボードは複数のチャネルを同時に検査するために使用されるように動作可能であることを特徴とする請求項９に記載の評価ボード（７００）。
【請求項１２】
前記複数の接点は円形パターンをなすように構成されることを特徴とする請求項９に記載の高速チャネルセレクタ。
【請求項１３】
前記信号接点は前記円形パターンの中央に位置することを特徴とする請求項１２に記載の高速チャネルセレクタ。
【請求項１４】
前記高速コネクタからの信号は前記検査対象デバイスの前記複数の高速チャネルのうち１つにルーティングできることを特徴とする請求項９に記載の高速チャネルセレクタ。
【請求項１５】
前記検査対象デバイスの前記複数の高速チャネルのうち単一のチャネルは前記高速コネクタにルーティングできることを特徴とする請求項９に記載の高速チャネルセレクタ。
【請求項１６】
前記複数のそれぞれの終端インピーダンスは前記第２のユニット内に配置されることを特徴とする請求項９に記載の高速チャネルセレクタスイッチ。
【請求項１７】
入力／出力ラインに結合された第１の複数の高速チャネルパッドと、通過線（パススルーライン）に結合された追加の高速チャネルパッドとを備える第１のユニットと、
第２の複数の高速チャネルパッドを備える第２のユニットであって、前記第２の複数の高速チャネルパッドのうち第１のパッドと第２のパッドは電気的に結合され、前記第２の複数の高速チャネルパッドのうち残りのパッドは終端インピーダンスに電気的に結合されることからなる、第２のユニット
とを備える高速チャネルセレクタスイッチであって、
前記第２の複数の高速チャネルパッドのうち前記第１のパッドと前記第２のパッドは、前記追加の高速チャネルパッドを前記第１の複数の高速チャネルパッドのうち選択された１つのパッドに選択的に電気的に結合して高速チャネルを選択するように動作可能であり、
前記第２の複数の高速チャネルパッドのうち少なくとも１つは、前記第１の複数の高速チャネルパッドのうち少なくとも１つを前記終端インピーダンスの１つの終端インピーダンスに選択的に電気的に結合するように動作可能であることからなる、高速チャネルセレクタスイッチ。
【請求項１８】
前記第１の複数の高速チャネルパッドは円形パターンをなすように構成されることを特徴とする請求項１７に記載の高速チャネルセレクタスイッチ。
【請求項１９】
前記追加の高速チャネルパッドは前記円形パターンの中央に位置することを特徴とする請求項１８に記載の高速チャネルセレクタスイッチ。
【請求項２０】
前記終端インピーダンスは前記第２のユニット内に配置されることを特徴とする請求項１７に記載の高速チャネルセレクタスイッチ。
【請求項２１】
前記第１のユニットと前記第２のユニットはマイクロウェーブ基板材料から構成されることを特徴とする請求項１７に記載の高速チャネルセレクタスイッチ。
【発明の詳細な説明】
【技術分野】
【０００１】
本発明の実施形態は高速通信の分野に関する。より具体的には、本発明の実施形態は、高速通信システム用の検査装置に関する。
【背景技術】
【０００２】
大規模並列高速オプトエレクトロニクスシステム（または、大規模並列光電子システム。以下同じ）は、数十から数百にも上るチャネルを有し、各チャネルは最高で１０ギガビット／秒で動作することができる。典型的なシステムは受信器モジュールまたは送信器モジュールのいずれかを備える。図１は、集積回路（ＩＣ）１１０の中に製作された、従来技術によるオプトエレクトロニクスモジュール（または、光電子モジュール。以下同じ）１００の一例の上面図である。モジュール１００は面発光型半導体レーザ（ＶＣＳＥＬ）のアレイ１２０と、ＩＣ１１０の周囲に配置された多数の高速パッド１３０とを有する。明瞭さのために、高速パッド１３０は全部示されているわけではない。典型的には、供給パッドやグラウンドパッド（図示せず）などの他のパッドもＩＣ１１０の周囲に配置されている。典型的にはチャネルごとに合計で５つのパッドがある。５つのパッドのうち２つのパッドは電気信号送信用の高速パッド１３０であり、２つのパッドは電力供給用であり、１つのパッドはグラウンド用である。オプトエレクトロニクスモジュール１１０を受信器として使用するとき、ＶＣＳＥＬの代わりに光検出器を使う。受信器と送信器の両方について、結合光学素子と集光光学素子、光マルチプレクサまたは光デマルチプレクサを含む追加の光学サブアセンブリがＶＣＳＥＬまたは光検出器の上に配置される。
【０００３】
図２は、大規模並列オプトエレクトロニクスモジュールを検査するために使用する、従来技術による評価ボード２００の一例を示す。図２では、モジュール１００は評価ボード２００の上に置かれ、個別の高速パッド（たとえば図１の高速パッド１３０）はデータライン２１０を介して複数のコネクタ２２０に結合する。コネクタ２２０はデータケーブル２３０を介して信号テスタなどの評価ツールか、または、終端インピーダンス２５０のいずれかに結合する。
【発明の開示】
【発明が解決しようとする課題】
【０００４】
高速オプトエレクトロニクスシステムの評価には重大な問題がある。大規模並列システムの場合、別々のコネクタ、ケーブル、終端を使用した手動の評価システムは長い測定セッションを必要とする。このようなシステムは典型的には、データケーブル２３０を切断し接続するという手間のかかるプロセスで１度に１つまたは数個のチャネルを評価する。市販の評価ツール（たとえば評価ツール２４０）は、典型的には１度に数個の入力しか許容しないので、任意の所与のタイミングにおいて検査対象デバイスのうち数チャネルしか評価ツールに接続できない。残りのチャネルは、残りのコネクタ２２０の各々を一つずつ適切な終端インピーダンス２５０に手動で接続することによって終端される。このため評価プロセスは、ケーブルを手動で繰り返して接続し断絶することを伴う、非常に労力と時間のかかるプロセスになってしまう。さらに、これらのすべての個別コンポーネントを評価ボード上に収容するため、検査プラットフォームがあまりにも大きな卓上スペースを占める非常に大きなものになってしまう。別の欠点は、従来の検査プラットフォームを構築するために必要なすべての高速コンポーネントの購入価格が非常に高いことである。
【０００５】
評価プロセスは、労力がかかるだけではなくエラーも起こしやすい。接続／切断はすべて手動で行うので、１つまたは複数のチャネルの終端処理が不適切になる可能性が高くなり、測定にエラーが生じる結果になりうる。さらに、リードを常に接続したり切断したりするため、コネクタ２２０が磨耗する。このようなコネクタの磨耗によりコネクタ２２０は最後には、信号をモジュール１００に正しく送信できなくなる場合があり、さらなるエラーを招く原因となる。
【課題を解決するための手段】
【０００６】
本発明による、検査対象デバイスの複数のデータラインのうち１本を信号線に選択的に結合する高速チャネルセレクタスイッチを開示する。検査対象デバイスの残りのデータラインは、スイッチ内に配置されたそれぞれの終端インピーダンスに同時に結合される。これによって、データラインを個別に評価ツールに手動で接続する必要性と、残りのデータラインに終端処理を行う必要性が低減されるため、大規模並列オプトエレクトロニクスシステムなどの高速通信デバイスの評価が容易になる。
【０００７】
本明細書に組み込まれ、本明細書の一部を形成する添付図面は、本発明の実施形態を図示するものであり、説明と共に、本発明の原理を説明するのに役立つ。特段の記載のない限り、本明細書で言及される図面は同じスケールでは描かれていないことを理解されたい。
【実施例】
【０００８】
本発明の実施形態は、信号線と、評価ボードの複数のデータラインのうち選択されたデータラインとを選択的に結合するスイッチを提供する。ユーザはこのスイッチにより、データラインから１本のデータラインを検査のために選択し、同時に残りのデータラインに終端処理を行うことができる。これによって大規模並列オプトエレクトロニクスシステムなどの高速通信デバイスを検査／評価するときに、リードの接続と切断を迅速に容易に行うことができる。さらに、従来の評価ボードの動作に見られる磨耗の量が低減される。さらに、本発明の実施形態により、手動で行った場合に起こりうる、リードの間違った接続または終端処理の可能性も低減される。
【０００９】
図３を参照すると、本発明の高速チャネルセレクタスイッチ３００の斜視図が示されている。次の議論は、本発明による物理的な構造の説明で始める。物理的な構造に関する議論の後、本発明による実施形態の動作を説明する。本発明の物理的な構造に関して、図３は、本発明の実施形態による高速チャネルセレクタスイッチ３００を示す。１実施形態では、スイッチ３００は固定ユニット４００を備え、固定ユニット４００は複数の高速データライン３１０と結合している。１実施形態では、高速データラインは、検査されている大規模並列オプトエレクトロニクスモジュールの高速パッドに信号を搬送する。上記のように大規模並列高速オプトエレクトロニクスシステムは、数十から数百のチャネルを有する場合があり、各チャネルが約１０ギガビット／秒またはそれ以上の範囲で動作することができる。しかし本発明による実施形態は、たとえば直流信号から１０ギガビット／秒以上までの広範囲の信号を搬送することができる。また、固定ユニット４００は信号テスタ（図示せず）などの評価デバイスに電気信号を搬送するかまたは評価デバイスから電気信号を搬送する信号線３２０に接続する。高速チャネルセレクタスイッチ３００はさらに、固定ユニット４００の上に配置される回転可能ユニット５００を備える。回転可能ユニット５００は、高速データライン３１０のうち１本を信号線３２０に選択的に結合するために使用される。言い換えれば、信号テスタまたは別のソースへ送信するかまたはそれらから受信される電気信号は、回転可能ユニット５００を介して信号線３２０と、高速データライン３１０のうち１つとの間を選択的に通過させられる。回転可能ユニット５００はまた、残りの高速データラインをそれぞれの終端インピーダンスに結合する複数の接点を備える。１実施形態では、終端インピーダンスは回転可能ユニット５００自体の中に配置する。したがって複数の高速データラインのうち１つを、固定ユニット４００と回転可能ユニット５００を介して信号線に選択的に結合し、残りの高速データラインをそれぞれの終端インピーダンスに結合することができる。特定の高速データラインを検査するように選択するためには、所望の高速データライン３１０を信号線３２０に選択的に結合するまで、回転可能（回転式）ユニット５００を回転させる。
【００１０】
図３の実施形態では、高速チャネルセレクタスイッチ３００はさらに、回転可能ユニット５００の回転を容易にするノブ６００を備える。本発明の実施形態では、ノブ６００は上面にインデックスマークまたは所定の他のマークを有しており、どの高速データライン３１０を信号線３２０と選択的に結合するかをユーザが決定する際に助けとなる。
【００１１】
図４Ａと図４Ｂは、本発明の実施形態による、高速チャネルセレクタスイッチ（たとえば図３の高速チャネルセレクタスイッチ３００）の固定ユニット４００の中のそれぞれの電気経路を示す上面断面図と側面断面図である。本発明の実施形態では、固定ユニット４００は評価ボードと結合される。しかし、固定ユニット４００を評価ボードの中に埋め込むこともできる。
【００１２】
図４Ａに示された本発明の１実施形態では、固定ユニット４００は、基板４２０上に円形のパターンをなすように配置された、典型的には４１０ａ、４１０ｂ、４１０ｃで示される、２４の外側の高速パッドを備える。図４Ａの実施形態は、円形パターンをなすように配置された外側の高速パッドを示すが、本発明の実施形態は異なる態様で配置された高速パッドを有するようにすることもできる。同様に、図４Ａに示された基板４２０は円形の構造として構成されているが、本発明の実施形態は他の形状を有する基板構造にも適する。２４の外側の高速パッドは各々、典型的には４１１ａ、４１１ｂ、４１１ｃと示されるそれぞれの信号入力／出力線を介して、典型的には３１０ａ、３１０ｂ、３１０ｃと示されるそれぞれの高速データラインに電気的に結合される。たとえば、次に図４Ｂを参照すると、接点４１２ａは外側の高速パッド４１０ａを信号入力／出力線４１１ａに結合する。本発明の１実施形態では、基板４２０は、アルミナ（Alumina）などのマイクロウェーブ（マイクロ波）基板材料（microwave substrate material）で作成されたディスク形状の回路基板である。説明される本発明による実施形態は特にアルミナについて述べるが、ガラスセラミックス、種々のＰＴＦＥ合成物、非ＰＴＦＥラミネートなどの他の材料も基板４２０のために使用できる。
【００１３】
図４Ａでは、固定ユニット４００は、基板４２０の中央近辺に配置された追加の高速パッド（たとえば信号パッド４１５）をさらに備える。信号パッド４１５は信号入力／出力線４１６を介して信号線（たとえば図３の信号線３２０）に電気的に結合する。
【００１４】
図４Ｂは、信号入力／出力線４１６、信号パッド４１５、外側の高速パッド４１０ａ、信号入力／出力線４１１ａを切り取った、固定ユニット４００の側面断面図である。図４Ｂでは、信号パッド４１５は接点４１４を介して信号線３２０に電気的に結合し、また信号入力／出力線４１６とも電気的に結合する。さらに、高速パッド４１０ａは、バイア４１２ａと信号入力／出力線４１１ａとを介して高速データライン３１０ａと結合する。図４Ｂには示されていないが、上面のグラウンド領域４２１を底面のグラウンド領域４２３に電気的に結合する接点がある。さらに、上面のグラウンド領域４２１は図４Ｂの側面斜視図では複数のセクションのように示されているが、本発明の１実施形態では上面のグラウンド領域４２１は１つの連続する領域である。本発明の他の実施形態では、導電ボールを、信号パッド４１５、外側高速パッド４１０の各々、及び上面のグラウンド領域４２１に付着させて、固定ユニット４００と回転可能ユニット５００の間に導電経路を提供する。
【００１５】
図５Ａと図５Ｂはそれぞれ、本発明による高速チャネルセレクタスイッチの回転可能ユニット５００の、底面断面図と側面断面図である。図５Ａでは、回転可能ユニット５００の底面は、回転可能ユニット５００の外側の縁近くに円形のパターンをなすように配置された、典型的には５１０ａ、５１０ｂ、５１０ｃと示される、２４の外側の高速パッドを備える。ここでも、図５Ａは円形パターンをなすように配置された外側の高速パッド５１０を示すが、本発明の実施形態は、異なる態様で配置された高速パッドを有するようにすることもできる。回転可能ユニット５００はさらに、回転可能ユニット５００の中央近辺に配置された中央の高速パッド５２０を備える。次に図５Ａと共に図４Ａも参照すると、固定ユニット４００の外側の高速パッド４１０は、回転可能ユニット５００の外側の高速パッド５１０に対して一致するパターンをなすように構成される。したがって、固定ユニット４００と回転可能ユニット５００が組合わさって（すなわち、回転可能ユニット５００の底面と固定ユニット４００の上面が接触する）、正しく整列すると、外側高速パッド４１０の各々は、対応する外側の高速パッド５１０に整列してそれに電気的に結合する。したがって、外側の各高速パッド４１０ａ、４１０ｂ、４１０ｃ等と、対応する外側の高速パッド５１０ａ、５１０ｂ、５１０ｃ等の間で電気信号を搬送できる。この結果、測定を行うために必要な時間の量が大幅に節約できる。また、高速チャネルセレクタスイッチを使用することにより、よりコンパクトでロバストな評価プラットフォームの実施が可能になる。測定エラーが少なくなり、評価機器の機械的な磨耗も減るため、測定の正確さが向上する。
【００１６】
さらに、中央の高速パッド５２０は図４Ａの信号パッド４１５に整列する。図５Ａでは、外側の高速パッド５１０ａ、５１０ｂ、５１０ｃのうち１つ（たとえば外側の高速パッド５１０ａ）を信号線５１１と接点５１２ａを介して中央の高速パッド５２０と電気的に結合する。中央の高速パッド５２０は接点５２１を介して信号線５１１と結合する。本発明の１実施形態では、信号線５１１の幅、厚さ、材料は、信号線５１１のインピーダンス特性を制御するために選択される。本発明の他の実施形態では、終端インピーダンスは、回転可能ユニット上に装着された、寄生成分の小さい表面実装コンポーネントかフリップチップ（flip-chip）コンポーネントとすることができる。終端インピーダンスはまた、固定ユニット上またはスイッチの外側にあってもよく、この場合、ルーティング線は、回転可能ユニットのパッドから終端インピーダンスのパッドまで確立されなければならない。さらに、回転可能ユニット５００の残りの外側の高速パッド（すなわち中央の高速パッド５２０に電気的に結合されないパッド）は、典型的には５３１ｂ、５３１ｃとして示されるそれぞれの終端線５３１を介して、典型的には５３０として示されるそれぞれの終端インピーダンスと電気的に結合する。本発明の１実施形態では、終端インピーダンス５３０は回転可能ユニット５００内に埋め込まれ、小さな寄生成分を有する。
【００１７】
「動作」
次に、本発明の実施形態の動作を詳細に説明する。図３、図４及び図５に示すように、ユーザは回転可能ユニット５００と固定ユニット４００を共に使用して高速データライン３１０を信号線３２０に選択的に結合することができる。たとえば、ユーザは、外側の高速パッド５１０ａ、信号線５１１、中央の高速パッド５２０を介して、外側の高速パッド４１０ａと信号パッド４１５の間に電気経路が形成されるまで回転可能ユニット５００を回すことができる。さらに、残りの高速データライン３１０を終端インピーダンス５３０と結合する。ユーザは、高速パッド５１０ａが外側の高速パッド４１０ｂと整列し、それに電気的に接触するまで回転可能ユニット５００を固定ユニット４００に対して反時計回りに回すことにより（たとえば図３のノブ６００を使用して）、外側の高速パッド４１０ｂを選択することができる。そうしているうちに、信号線５１１は外側の高速パッド４１０ｂと信号パッド４１５に結合し、外側の高速パッド４１０ａは終端インピーダンス５３０と結合する。ユーザはこのようにしてチャネルを迅速に切り替えながら、同時に、残りの高速チャネルの終端処理を行うことができる。
【００１８】
図６は、本発明の１実施形態による高速チャネルセレクタスイッチ（たとえば図３の高速チャネルセレクタスイッチ３００）の固定ユニット４００と回転可能ユニット５００によって導通される電気経路の側面断面図である。図６では固定ユニット４００と回転可能ユニット５００（それぞれ図４Ｂと図５Ｂ）の側面断面図が示されていることを理解されたい。以下の説明では、電気信号は評価装置（図示せず）からオプトエレクトロニクスモジュール（図示せず）の光チャネルに送信されると仮定する。別の実施例では、信号はオプトエレクトロニクスモジュールから評価デバイスに送信される。
【００１９】
図６では、評価デバイス（たとえば信号発生装置）からの電気信号は、信号線３２０から接点４１４を介して信号パッド４１５に搬送され、ついで中央の高速パッド５２０に搬送される。電気信号は中央の高速パッド５２０から接点５２１を介して信号線５１１と高速パッド５１０に渡される。電気信号はそこから高速パッド４１０ａ、接点４１２ａ、信号入力／出力線４１１ａを介してデータライン３１０ａに搬送される。
【００２０】
本発明の別の実施形態では、複数の信号をオプトエレクトロニクスモジュールから複数のデータライン（たとえば図３のデータライン３１０）を介して固定ユニット４００に同時に搬送することができる。しかし、これらの信号のうち１つだけが回転可能ユニット５００を介して信号線３２０に電気的に結合する。残りの電気信号は、残りの高速パッド５１０と終端伝送線５３１（たとえば高速パッド５１０ｂと終端伝送線５３１ｂ）を介して、それぞれの終端インピーダンス（たとえば、図５Ａの終端インピーダンス５３０）に結合する。ユーザは、上記のようにノブ６００を回すことにより複数の信号のうちのどれを信号線３２０に結合するかを選択することができる。
【００２１】
図７は、本発明の実施形態による、大規模並列オプトエレクトロニクスモジュールを検査するための評価ボード７００の上面図である。図７の実施形態では、典型的には３００ａ、３００ｂ、３００ｃ、３００ｄとして示される複数の高速チャネルセレクタスイッチが複数の高速データライン７１０と結合する。図４Ａと図４Ｂに示された電気経路は高速チャネルセレクタスイッチ３００ａ〜３００ｄの固定ユニット内にある。１実施形態では、高速チャネルセレクタスイッチ３００ａ〜３００ｄは評価ボード７００の基板７５０と結合する。しかし本発明の実施形態によれば、図４Ａと図４Ｂに示された電気経路は、評価ボード７００の基板内に製作することができる。
【００２２】
オプトエレクトロニクスモジュール１００は、高速データライン７１０と電気的に結合する。１実施形態では、オプトエレクトロニクスモジュール１００は大規模並列高速オプトエレクトロニクスシステムである。図７では、オプトエレクトロニクスモジュール１００は受信器であり、９６の高速パッド（たとえば図１の高速パッド１３０）を有し、これらのパッドは、光検出器アレイからのアナログ信号を増幅および／または処理する受信器集積回路からの電気信号出力部として機能する。代替として、オプトエレクトロニクスモジュール１００は送信器であり、この場合高速パッドはＶＣＳＥＬアレイを駆動する送信器集積回路の電気信号入力部として機能する。オプトエレクトロニクスモジュール１００の各高速パッドは個別の高速データライン７１０を介して高速チャネルセレクタスイッチ３００ａ〜３００ｄのうち１つに結合する。オプトエレクトロニクスデバイス１００の高速パッドと高速データライン７１０の間の電気結合は、任意の都合のよいやり方で形成される。本発明の１実施形態では、オプトエレクトロニクスモジュール１００の高速パッドと高速データライン７１０の間に個々のワイヤボンドが形成される。
【００２３】
さらに図７を参照すると、各高速チャネルセレクタスイッチ３００ａ〜３００ｄは信号パッド（図４Ａと図４Ｂの信号パッド４１５）を有する。信号パッドはそれぞれの信号線（たとえば図３の信号線３２０）を介してコネクタ７２０ａ〜７２０ｄに電気的に結合する。信号パッドはまた上記のように、信号入力／出力データライン、高速パッド、及び信号線を介して高速データライン７１０のうち１つに電気的に結合する。ケーブル７３０ａ、７３０ｂ、７３０ｃ、または７３０ｄは、高速チャネルセレクタスイッチ３００ａ〜３００ｄのうち１つを、それぞれの評価デバイス７４０に電気的に結合する。
【００２４】
本発明による実施形態は、大規模並列システムの評価における集積のレベルを向上させる。本発明は大規模並列高速オプトエレクトロニクスモジュールを検査しているときにチャネル間の迅速な切り替えを容易にする。さらに、残りのチャネルを終端インピーダンスに同時に結合する。この結果、測定を行う時間を大幅に節約できる。本発明による実施形態は評価ボード７００内で個別のケーブルを手動で接続および／または終端処理する必要性を除去するので、コネクタ（たとえば図７のコネクタ７２０ａ〜７２０ｄ）の物理的な劣化が減少する。この結果、測定エラーは少なくなり、評価機器の機械的な磨耗も少なくなり、測定の正確度が向上する。高速チャネルセレクタスイッチを使用することにより、より小型でロバストな評価プラットフォームの実施もまた可能になる。
【００２５】
本発明の１実施形態は高速チャンネルセレクタスイッチ(300)を具備する。高速チャンネルセレクタスイッチ(300)は、検査対象である複数の高速データライン(310)に電気的に結合するよう動作可能な複数の接触部(410)を有する第１のユニット(400)を備える。第１のユニット(400)は、また、信号線(320)に電気的に結合するよう動作可能な追加の接触部(415)を有する。高速チャンネルセレクタスイッチ(300)は、さらに、第１のユニット(400)の追加の接触部(415)に、第１のユニット(400)の複数の接触部(410)のうちの１つを選択的に電気的に結合するよう動作可能な第２のユニット(500)を備える。第２のユニット(500)はまた、第１のユニット(400)の残りの接触部(410)をそれぞれの終端インピーダンス(530)に電気的に結合する。こうして、複数の高速データライン(310)の１つが、第２のユニット(500)を介して信号線(320)に結合され、残りの高速データライン(310)が、それぞれの終端インピーダンス(530)に結合される。
【００２６】
本発明を特定の実施形態に関して説明したが、本発明はそのような実施形態によって限定されるものではなく、特許請求の範囲に従って解釈されるべきものであることを理解されたい。
【図面の簡単な説明】
【００２７】
【図１】従来技術による大規模並列オプトエレクトロニクスモジュールの一例の上面図である。
【図２】大規模並列オプトエレクトロニクスモジュールを検査するために使用する、従来技術の１例である評価ボードの上面図である。
【図３】本発明の１実施形態による、高速チャネルセレクタスイッチを示す図である。
【図４Ａ】本発明の１実施形態による、高速チャネルセレクタスイッチの固定ユニット内のそれぞれの電気経路を示す、上面断面図である。
【図４Ｂ】本発明の１実施形態による、高速チャネルセレクタスイッチの固定ユニット内のそれぞれの電気経路を示す、側面断面図である。
【図５Ａ】本発明の１実施形態による、高速チャネルセレクタスイッチの回転可能ユニット内のそれぞれの電気経路の底面断面図である。
【図５Ｂ】本発明の１実施形態による、高速チャネルセレクタスイッチの回転可能ユニット内のそれぞれの電気経路の側面断面図である。
【図６】本発明の１実施形態による高速チャネルセレクタスイッチの固定ユニットと回転可能ユニットによって導通される電気経路の側面断面図である。
【図７】本発明の１実施形態による、大規模並列オプトエレクトロニクスモジュールを検査するための評価ボードの上面図である。
【符号の説明】
【００２８】
１００  オプトエレクトロニクスモジュール
３００  チャネルセレクタスイッチ
３１０  データライン
３２０  信号線
４００  固定ユニット（第１のユニット）
４１０  パッドまたは接点
５３０  終端インピーダンス
７００  評価ボード
７２０  コネクタ
【図１】
2005044800.tif 000003
【図２】
2005044800.tif 000004
【図３】
2005044800.tif 000005
【図４Ａ】
2005044800.tif 000006
【図４Ｂ】
2005044800.tif 000007
【図５Ａ】
2005044800.tif 000008
【図５Ｂ】
2005044800.tif 000009
【図６】
2005044800.tif 000010
【図７】
2005044800.tif 000011